(57)【要約】【課題】  装飾体を衣服に止めた際に、装飾体を安定して衣服に止めることができる装飾体止め具を提供することを課題とする。【解決手段】  装飾体を衣服に止める装飾体止め具であって、装飾体止め具を衣服に止めるためのクリップ部１が設けられ、装飾体を保持するためのフォルダ部２がクリップ部１の下側に設けられていることを特徴とする。【選択図】  図１
2006068355.tif 000002
【特許請求の範囲】
【請求項１】
装飾体（１１）を衣服（１２）に止める装飾体止め具であって、装飾体止め具を衣服（１２）に止めるためのクリップ部（１）が設けられ、装飾体（１１）を保持するためのフォルダ部（２）がクリップ部（１）の下側に設けられていることを特徴とする装飾体止め具。
【請求項２】
フォルダ部（２）が弾性材からなり、フォルダ部（２）には、棒状体（９）を差し込むことができる上下方向に貫通した棒状体用孔（５）が設けられ、フォルダ部（２）には棒状体用孔（５）に沿ってスリット（６）が設けられている請求項１記載の装飾体止め具。
【請求項３】
装飾体（１１）は、線状に伸びた下部（１１ｂ）を有し、フォルダ部（２）には、装飾体（１１）の下部（１１ｂ）を上方から差し込むことができる上下方向に貫通した装飾体用孔（７）が棒状体用孔（５）と隣り合って設けられている請求項２記載の装飾体止め具。
【請求項４】
棒状体用孔（５）がフォルダ部（２）の中央に設けられ、装飾体用孔（７）が棒状体用孔（５）の左右両側に設けられている請求項３記載の装飾体止め具。
【請求項５】
上部に取付孔（１０ａ）を有するリボン（１０）を取り付けるために、フォルダ部（２）には、先端部（８ａ）の断面が付け根部（８ｂ）の断面よりも広い形状の突起（８）が設けられている請求項１乃至４の何れかに記載の装飾体止め具。
【発明の詳細な説明】
【技術分野】
【０００１】
本発明は、コサージュ等の装飾体を衣服に止めるための装飾体止め具に関する。
【背景技術】
【０００２】
従来、例えば、結婚式やパーティーなどでコサージュを身に付ける際には、コサージュの下部を直接衣服のポケットに入れたりしていた。
【発明の開示】
【発明が解決しようとする課題】
【０００３】
しかしながら、コサージュがポケットの中でぐらつくなどするために安定しないという問題があった。そこで、本発明者は、コサージュを保持するフォルダ部と、衣服に止めるためのクリップ部とを備えた装飾体止め具を開発したが、クリップ部がフォルダ部と同じ高さあるいはフォルダ部に対して下側にあると、フォルダ部にコサージュを保持して衣服に止めた際に、コサージュが前方に傾いて安定しないという問題のあることが判明した。
【０００４】
そこで、本発明は、上記の問題に鑑みてなされ、装飾体を衣服に止めた際に、装飾体を安定して衣服に止めることができる装飾体止め具を提供することを課題とする。
【課題を解決するための手段】
【０００５】
本発明は、上記課題を解決すべくなされたものであり、本発明に係る装飾体止め具は、
装飾体１１を衣服１２に止める装飾体止め具であって、装飾体止め具を衣服１２に止めるためのクリップ部１が設けられ、装飾体１１を保持するためのフォルダ部２がクリップ部１の下側に設けられていることを特徴とする。
【０００６】
該構成の装飾体止め具にあっては、フォルダ部２に装飾体１１を保持させて、クリップ部１によって装飾体止め具を衣服１２に止めることで、装飾体１１を衣服１２に止めることができる。
【０００７】
そして、フォルダ部２がクリップ部１の下側に設けられていることにより、装飾体１１を保持する位置が衣服１２に止める位置よりも下側となるので、クリップ部１がフォルダ部２の下側に設けられている場合と比べて、衣服１２に止めた際の全体の重心位置が衣服１２に止める位置より下側に位置しやすい。そして、全体の重心が下側となるので、衣服１２に止める位置を中心として全体が前方に傾くことを抑えることができる。
【０００８】
また特に、フォルダ部２が弾性材からなり、フォルダ部２には、棒状体９を差し込むことができる上下方向に貫通した棒状体用孔５が設けられ、フォルダ部２には棒状体用孔５に沿ってスリット６が設けられていることが好ましい。棒状体９の上部を棒状体用孔５に下側から差し込もうとした際、棒状体用孔５の径を広げようとする力が棒状体９からフォルダ部２に加わる。その際、フォルダ部２が弾性材からなりフォルダ部２には棒状体用孔５に沿ってスリット６が設けられていることにより、フォルダ部２はスリット６の間隔が広がる変形をする。そのため、棒状体用孔５の径が広がり、棒状体９を棒状体用孔５に容易に差し込むことができる。また、フォルダ部２が弾性材からなるので、フォルダ部２にあるスリット６の間隔が広がる変形がなされたことにより、フォルダ部２にはスリット６の間隔を狭くする方向の弾性力が生じる。従って、フォルダ部２が弾性力によって棒状体９を締め付け、棒状体９を棒状体用孔５に固定することができる。
【０００９】
そして、棒状体９を棒状体用孔５のさらに上側へと差し込もうとした際にも、フォルダ部２にあるスリット６の間隔が広がることにより、棒状体９を差し込むことができ、フォルダ部２の弾性力によって棒状体９を棒状体用孔５に固定することができる。また同様に、棒状体９を上側から差し込んで棒状体用孔５に固定することもできる。従って、棒状体９を棒状体用孔５のどの位置にでも確実に固定することができる。このことより、棒状体９を棒状体用孔５に差し込んだ際、棒状体９の重心位置が全体の重心位置よりも下側になる位置に棒状体９を固定することにより、棒状体９がない場合に比べて、全体の重心位置を下側へ位置させることができる。これにより、衣服１２に止めた際に、衣服１２に止める位置を中心として全体が前方に傾くことを抑えることができ、全体の位置を安定させることができる。また、棒状体９が、例えば、化学発光体である場合には、装飾体止め具を衣服１２に止めた際に、化学発光体が光ることによって装飾体１１を華やかにすることができる。
【００１０】
更に、装飾体１１は、線状に伸びた下部１１ｂを有し、フォルダ部２には、装飾体１１の下部１１ｂを上方から差し込むことができる上下方向に貫通した装飾体用孔７が棒状体用孔５と隣り合って設けられていることが好ましい。フォルダ部２に上下方向に貫通した装飾体用孔７があることにより、装飾体１１の下部１１ｂを装飾体用孔７に上方から差し込むことができる。このとき、装飾体用孔７の上方から差し込んだ装飾体１１の下部１１ｂは装飾体用孔７の下方からはみ出す。そして、装飾体用孔７の下方からはみ出した装飾体１１の下部１１ｂは、上方へ折り曲げることができる。このとき、装飾体用孔７が棒状体用孔５と隣り合って設けられていることにより、上方へ折り曲げた装飾体１１の下部１１ｂは棒状体用孔５へと差し込むことができる。そこで、上方へ折り曲げた装飾体１１の下部１１ｂが差し込まれている棒状体用孔５へ棒状体９を差し込んだ際、棒状体用孔５にある装飾体１１の下部１１ｂと棒状体９とがフォルダ部２の弾性力により締め付けられる。従って、装飾体用孔７内に上方から差し込んだ装飾体１１の下部１１ｂが棒状体用孔５に固定され、装飾体１１をフォルダ部２に確実に保持することができる。
【００１１】
また、棒状体用孔５がフォルダ部２の中央に設けられ、装飾体用孔７が棒状体用孔５の左右両側に設けられていることが好ましい。棒状体用孔５がフォルダ部２の中央に設けられていることにより、棒状体９を棒状体用孔５に差し込んだ際に、棒状体９の重量によって全体の重心が左右どちらかに偏ることを抑えることができる。また、装飾体用孔７が棒状体用孔７の左右両側に設けられていることにより、より多くの装飾体１１を取り付けることができる。さらに、左右両側の装飾体用孔７にバランスよく装飾体１１を差し込むことにより、全体の重量の左右のバランスをとることができ、全体を左右方向に安定させることができる。
【００１２】
また、上部に取付孔１０ａを有するリボン１０を取り付けるために、フォルダ部２には、先端部８ａの断面が付け根部８ｂの断面よりも広い形状の突起８が設けられていることが好ましい。先端部８ａの断面が付け根部８ｂの断面よりも広い形状の突起８が設けられていることにより、フォルダ部２の突起８によりリボン１０の移動が拘束され、リボン１０をフォルダ部２に確実に取り付けることができる。
【発明の効果】
【００１３】
このように、本発明に係る装飾体止め具にあっては、フォルダ部に保持させた装飾体をクリップ部により衣服に容易に止めることができ、しかも、クリップ部の下側にフォルダ部が設けられているので、フォルダ部がクリップ部の上側に位置する場合に比して衣服に止めた際に全体の重心を下方に位置させやすく、装飾体が前方に傾きにくくなって安定させることができるという効果を奏する。
【発明を実施するための最良の形態】
【００１４】
以下、本発明に係る装飾体止め具の一実施形態について図面を参酌しつつ説明する。
図１に、本実施形態における装飾体止め具が示されている。該装飾体止め具には、装飾体止め具を衣服１２に止めるためのクリップ部１と装飾体１１を保持するためのフォルダ部２とが設けられている。
【００１５】
クリップ部１は、合成樹脂からなり、支持部３と押さえ部４とが設けられている。支持部３は、正面から見ると外側がほぼ楕円で縦長の形状をしており、この楕円の内側には孔３ｂが空いていて、楕円の全周にわたってほぼ一定の幅が残してある。即ち、支持部３は、略楕円のリング状（枠体状）に形成されている。尚、支持部３は、ほぼ一定の板厚に形成されている。押さえ部４は、その基端部４ａが支持部３の上部３ａの後側略中央に位置して、そこから下方向に直線状に伸び、その先端４ｃが支持部３の下部３ｃの付近に位置しており、ほぼ一定の幅で、支持部３とほぼ同じ板厚に形成されている。そして、押さえ部４は、図２のように、下方向にいくにつれて前方に向いて傾いており、最も前方に位置する曲げ部４ｂでは、押さえ部４が支持部３とほぼ同じ面内にまで達していて、曲げ部４ｂを境にして後方に反った形状に形成されている。さらに、押さえ部４には、下方向に伸びる途中で半球状に曲がった湾曲部４ｄがあり、湾曲部４ｄと支持部３との隙間に安全ピンの針を左右方向に通せるようになっているが、この点については後述する。このように、クリップ部１は、布などの薄手の物を支持部３と押さえ部４とで挟むことができる構造になっているため、クリップ部１が衣服１２のポケット１３を挟むことにより、装飾体止め具を衣服１２に止めることができる。
【００１６】
フォルダ部２は、合成樹脂からなり、全体としてほぼ楕円柱の形状に形成されている。そして、フォルダ部２の横断面形状である楕円は、左右方向に長くなっており、短軸５ａと長軸５ｂの比がほぼ２対３である。フォルダ部２には、上下方向に貫通して円形の棒状体用孔５が空けられている。そして、フォルダ部２の横断面形状である楕円の中心と、棒状体用孔５の中心とが同じになっている。さらに、フォルダ部２の前面の左右方向略中央には、上下方向に直線状のスリット６が設けられ、該スリット６を介して、棒状体用孔５はフォルダ部２の外側と連通している。このスリット６は、棒状体用孔５の軸方向全体にわたって同じ幅で設けられている。即ち、スリット６がフォルダ部６の上面２ｂから下面２ｃまで設けられている。
【００１７】
フォルダ部２には、図３のように、棒状体用孔５の左右両側に、軸方向に貫通し半円の横断面形状をした装飾体用孔７がそれぞれ設けられている。この左右一対の装飾体用孔７は、互いに、同じ形状で左右対称に設けられている。ここで、１つの装飾体用孔７は、フォルダ部２の横断面形状である楕円のうち長軸５ｂ方向の約１０％を占めている。そして、左の装飾体用孔７は、横断面形状である半円の円周部分が左方向に向けられるように形成されており、同様に、右の装飾体用孔７は、横断面形状で半円の円周部分が右方向に向けられるように形成されている。
【００１８】
フォルダ部２の正面には、スリット６を挟んで左右両側にそれぞれ突起８が設けられている。この突起８は、フォルダ部２の前方に突出しており、先端部８ａが半球の形状で、付け根部８ｂが円柱の形状である。先端部８ａの半球の直径は、付け根部８ｂの円柱の直径よりも大きい。また、先端部８ａは、付け根部８ｂと突出方向の長さが同じである。
【００１９】
そして、装飾体止め具は、以上で説明したようなクリップ部１とフォルダ部２とが設けられているが、全体の構造としては、クリップ部１の下部１ａ前面がフォルダ部２の上部２ａ後面に接続されるようにして、同じ形成工程により合成樹脂で一体型として形成されている。このように、フォルダ部２がクリップ部１の下側に設けられている。さらに、フォルダ部２後面にクリップ部１が接続されているので、フォルダ部２の上方は空いており、装飾体用孔７に装飾体１１を上側から差し込むことを妨げない構造になっている。
【００２０】
次に、以上の構成からなる装飾体止め具を使用して装飾体１１を衣服１２に止める方法について説明する。まず、図４のように、フォルダ部２に装飾体１１を保持させる。装飾体１１は、コサージュ等であって、上部１１ａに衣服１２を装飾するための飾りを有し、その飾りから下側に線状に伸びた下部１１ｂ有するものがある。装飾体１１の保持のさせ方を説明すると、図５（イ）のように、まず、右の装飾体用孔７に、装飾体１１の下部１１ｂを上側より差し込む。そして、装飾体１１の下部１１ｂを右の装飾体用孔７に貫通させ、装飾体１１の上下方向位置を調整して、装飾体１１の下部１１ｂが右の装飾体用孔７の下側からはみ出た状態にする。このはみ出た部分は、図５（ロ）のように、上方に折り曲げて棒状体用孔５に差し込む。同様に、左の装飾体用孔７には、装飾体１１の下部１１ｂを上側より差し込んで、下部１１ｂが右の装飾体用孔７の下側からはみ出た状態にし、上方に折り曲げて棒状体用孔５に差し込む。こうして、棒状体用孔５に、装飾体１１の下部１１ｂが２つ差し込んである状態にする。
【００２１】
次に、図４のように、フォルダ部２の棒状体用孔５に棒状体９を差し込む。本実施形態では、径が棒状体用孔５より大きい円柱状の発泡体からなる棒状体９を使用する。棒状体用孔５に棒状体９を差し込んで保持させるには、まず、棒状体用孔５に棒状体９を差し込む。その際、棒状体用孔５の径を広げようとする力が、棒状体９から棒状体用孔５内面に加わる。そこで、フォルダ部２が合成樹脂からなり、棒状体用孔５がスリット６を介してフォルダ部２の外側と連通していることにより、フォルダ部２はスリット６の間隔が広がる変形をする。そのため、棒状体用孔５の径が広がり、棒状体９を棒状体用孔５に容易に差し込むことができる。ここで、棒状体９が２つの装飾体１１の下部１１ｂと共に棒状体用孔５に差し込まれているが、棒状体９は発泡体であるため、棒状体９には２つの装飾体１１の下部１１ｂが食い込んだ状態となっている。また、フォルダ部２は合成樹脂からなるので、フォルダ部２にあるスリット６の間隔が広がる変形がなされたことにより、フォルダ部２にはスリット６の間隔を狭くする方向の弾性力が生じる。こうして、弾性力によって、２つの装飾体１１の下部１１ｂと棒状体９とが締め付けられ、装飾体１１の下部１１ｂと棒状体９とを棒状体用孔５に差し込むことができる。さらに、装飾体１１の下部１１ｂが棒状体９に食い込んだ状態となっているため、装飾体１１が棒状体用孔５内で傾くことが抑えされる。こうして、装飾体１１を接着剤で固定することなく、フォルダ部２に確実に保持することができる。
【００２２】
続いて、図４のように、フォルダ部２の突起８にはリボン１０を取り付ける。本実施形態では、縦長の形状をした化学繊維からなる白色のリボン１０を使用する。このリボン１０の上部には、円形の取付孔１０ａが２つ設けてあり、この円は、突起８の先端部８ａよりも直径が小さい円である。また、リボン１０にある２つの取付孔１０ａの中心間距離は、フォルダ部２にある２つの突起８の先端部８ａとなる半球の中心間距離と同じになっている。そして、リボン１０には、リボン１０の左右両側の下端からリボン１０内側へ向かって約６０度の方向に左右対称の切り込みがあり、切り込みどうしが重なり合う部分で約１２０度の角をなしている。リボン１０を突起８に取り付けるには、左右両側の取付孔１０ａがそれぞれ左右両側の突起８に重なるようにする。次に、それぞれ、突起８の先端部８ａを取付孔１０ａに押し込み、突起８の付け根部８ｂが取付孔１０ａ内にあるように位置させる。こうして、突起８によりリボン１０の移動が拘束された状態にする。
【００２３】
次に、図６（イ）のように、装飾体止め具を衣服１２のポケット１３に止める。そのためには、まず、ポケット１３の上縁１３ａに装飾体止め具をあてがう。そして、押さえ部４の曲げ部４ｂがポケット１３の上縁１３ａに接するように装飾体止め具を移動させる。その際に、押さえ部４が、曲げ部４ｂを境にして後方に反った形状をしているので、クリップ部１の支持部３と押さえ部４との間にポケット１３の上縁１３ａを容易に入れることができる。そして、装飾体止め具を下側へとスライドさせると、ポケット１３の上縁１３ａがクリップ部１の支持部３と押さえ部４との間に深く入り込む。このとき、押さえ部４は、下方向にいくにつれて前方に傾いて支持部３の内側の孔３ｂに入り、曲げ部４ｂで支持部３と同じ面内にまで達していることにより、支持部３と押さえ部４とがポケット１３の上縁１３ａを挟むことができる。こうして、図６（ロ）のように、クリップ部１をポケット１３に止めることにより、装飾体止め具を衣服１２に止めることができる。尚、押さえ部４は、湾曲部４ｄと支持部３との隙間に安全ピンの針を左右方向に通せるようになっているので、支持部３と押さえ部４とがポケット１３の上縁１３ａを挟むことの他、安全ピンを湾曲部４ｄと支持部３との隙間に保持し、安全ピンの針を衣服１２のポケット１３に通して取り付けることにより、装飾体止め具を衣服１２に止めることもできる。
【００２４】
以上のような装飾体止め具は、フォルダ部２がクリップ部１の下側に設けられているので、フォルダ部２がクリップ部１の上側に位置する場合に比して衣服１２に止めた際に全体の重心を下方に位置させやすく、装飾体１１の上部１１ａがクリップ部１より上側にある場合であっても装飾体１１が前方に傾きにくくなって安定させることができる。
【００２５】
また、フォルダ部２には、上下方向に貫通して円形の棒状体用孔５が空けられており、フォルダ部２の前面の左右方向略中央には、上下方向に直線状のスリット６が設けられていることにより、フォルダ部２が弾性力によって棒状体９を締め付け、棒状体９を棒状体用孔５に固定することができる。
【００２６】
また、フォルダ部２の横断面形状である楕円の中心と棒状体用孔５の中心とが同じになっているので、棒状体９を差し込んだ際に、棒状体９の重量によって全体の重心が左右どちらかに偏ることを抑えることができる。
【００２７】
また、フォルダ部２には、棒状体用孔５の左右両側に、軸方向に貫通し半円の横断面形状をした装飾体用孔７がそれぞれ設けられているので、装飾体用孔７に上方から差し込んだ装飾体１１の下部１１ｂを棒状体用孔５に固定することができ、装飾体１１をフォルダ部２に確実に保持することができる。さらに、多くの装飾体１１を取り付けることができ、左右両側の装飾体用孔７にバランスよく装飾体１１を差し込むことにより、全体の重量の左右のバランスをとることができ、全体を左右方向に安定させることができる。
【００２８】
また、フォルダ部２の正面に、スリット６を挟んで左右両側にそれぞれ突起８が設けられていることにより、リボン１０をフォルダ部２に確実に取り付けることができる。
【００２９】
尚、本実施形態では、フォルダ部２に上下方向に貫通した装飾体用孔７と上下方向に貫通した棒状体用孔５とがあって、フォルダ部２には棒状体用孔５に沿ってスリット６が設けられている場合について説明したが、フォルダ部２に上下方向に貫通した装飾体用孔７と上下方向に貫通した棒状体用孔５とがあって、フォルダ部２には棒状体用孔５に沿ってスリット６が設けられている場合には限定されず、フォルダ部２には上下方向に空いた孔があって、そこに装飾体１１を束ねたものを差し込んで、装飾体１１を束ねたものと孔との間の摩擦力により装飾体１１の上下方向の移動を拘束して装飾体１１を保持させる場合であってもよい。何れにしても、装飾体止め具を衣服１２に止めるためのクリップ部１が設けられ、装飾体１１を保持するためのフォルダ部２がクリップ部１の下側に設けられていることにより、クリップ部１がフォルダ部２の下側に設けられている場合と比べて、衣服１２に止めた際の全体の重心位置が衣服１２に止める位置よりも下側に位置しやすく、衣服１２に止める位置を中心として全体が前方に傾くことを抑えることができる。
【００３０】
また、上記実施形態では、クリップ部１の下部１ａ前面がフォルダ部２の上部２ａ後面に接続されるようにして、同じ形成工程により合成樹脂で一体型として形成されている場合について説明したが、クリップ部１の下部１ａ前面がフォルダ部２の上部２ａ後面に接続されるようにして、同じ形成工程により合成樹脂で一体型として形成されていることには限られず、フォルダ部２の上面にクリップ部１の下面が接続されている場合や、フォルダ部２とクリップ部１とが違う材料で形成されて接合されている場合であってもよい。何れにしてもフォルダ部２がクリップ部１の下側にあることにより、衣服１２に止める位置を中心として全体が前方に傾くことを抑えることができる。但し、フォルダ部２の上部２ａ後面にクリップ部１の下部１ａ前面が接続してあることにより、クリップ部１がフォルダ部２の外側にあり、棒状体用孔５と装飾体用孔７の位置や大きさを制限することがないので、フォルダ部２をコンパクトな構造にすることができるという利点がある。また、クリップ部１とフォルダ部２とが同じ形成工程により同じ材料で一体型として形成されていることにより、装飾体止め具の形成工程を簡素化でき、製造コストを抑えることができるという利点がある。
【００３１】
また、上記実施形態では、クリップ部１に支持部３と押さえ部４とが設けられており、支持部３の外側がほぼ楕円で縦長の形状をしており、この楕円の内側には孔３ｂが空いていて、押さえ部４が曲げ部４ｂで支持部３とほぼ同じ面内にまで達している場合について説明したが、クリップ部１に支持部３と押さえ部４とが設けられており、支持部３の外側がほぼ楕円で縦長の形状をしており、この楕円の内側には孔３ｂが空いていて、押さえ部４が曲げ部４ｂで支持部３とほぼ同じ面内にまで達していることには限定されず、一本の
縦長の板を折り返して合わせたような単純な構造のものであってもよい。何れにしても、布などの薄手の物を挟むことができる構造のものであることが好ましく、これにより、装飾体止め具を衣服１２に止めることができる。
【００３２】
また、上記実施形態では、棒状体用孔５が上下方向に貫通して円形の形状に設けられている場合について説明したが、棒状体用孔５が上下方向に貫通して円形の形状に設けられている場合に限られず、楕円柱や三角柱や六角柱の形状であってもよい。何れにしても、上下方向に貫通していることが好ましく、これにより、棒状体９が棒状体用孔５を貫通した状態にすることができ、棒状体９を棒状体用孔５のどの位置にでも固定することができるという利点がある。さらに、装飾体用孔７からはみ出した装飾体１１の下部１１ｂが棒状体用孔５に下側から差し込まれていている場合に、装飾体１１の下部１１ｂを棒状体用孔５の上側からはみ出した状態とすることもできる。従って、装飾体１１の下部１１ｂを切断したりして長さを微調整することなく装飾体１１を差し込むことができるので、手間が省けるという利点がある。但し、円柱状であることにより、棒状体９も円柱状にした場合、棒状体９を回転させながら差し込むことができ、棒状体９を差し込みやすいという利点がある。尚、棒状体９としては、発泡体より硬い材料や重い材料からなるものを使用することもできる。例えば、ケースが合成樹脂により形成された化学発光体を使用することもできる。この場合、装飾体止め具を衣服１２に止めた際に、化学発光体が光ることによって装飾体１１を華やかにすることができる。さらに、化学発光体の重さにより、全体の重心を、化学発光体を差し込まない場合に比べて、下側に位置させることができる。
【００３３】
また、上記実施形態では、フォルダ部２が合成樹脂からなる場合について説明したが、フォルダ部２が合成樹脂からなることには限定されず、ゴム類からなる場合であってもよい。何れにしても、フォルダ部２が弾性材であることが好ましく。これにより、フォルダ部２の棒状体用孔５に棒状体９を差し込んだ際に、スリット６が広がることにより棒状体用孔５が変形をし、弾性力により棒状体９を締め付けるため、棒状体９を棒状体用孔５に固定することができる。尚、フォルダ部２にスリット６がない場合には、フォルダ部２は弾性材からなる場合に限定されず、アルミニウムなどの金属であってもよい。
【００３４】
また、上記実施形態では、スリット６は、フォルダ部２の前面の左右方向略中央に、上下方向に直線状のスリット６が設けられ、スリット６を介して棒状体用孔５がフォルダ部２の外側と連通している場合について説明したが、スリット６は、フォルダ部２の前面の左右方向略中央に設けられていることには限定されず、フォルダ部２の左端や右端に設けられていてもよい。また、スリット６は、直線状に設けられていることにも限定されず、棒状体用孔５に沿って下方向に広がった形状であってもよい。何れにしても、棒状体用孔５に沿って設けられていることが好ましく、これにより、棒状体９を棒状体用孔５に差し込んだ際に、棒状体用孔５の横断面が広がりやすくなるため、弾性力により棒状体９が締め付けられ棒状体用孔５に固定することができる。但し、スリット６が、フォルダ部２の前面の左右方向略中央に設けられていることにより、フォルダ部２全体の構成を左右対称にさせやすく、装飾体１１を保持させた際に、全体を左右方向に安定させやすいという利点がある。尚、棒状体用孔５には、棒状体９を差し込むことの他、装飾体１１を束状にしたものを差し込むこともできる。
【００３５】
また、上記実施形態では、棒状体用孔５の左右両側に、軸方向に貫通し半円の横断面形状をした装飾体用孔７がそれぞれ設けられ、この左右一対の装飾体用孔７は、互いに、同じ形状で左右対称に設けられている場合について説明したが、左右両側の装飾体用孔７が同じ形状である場合や、棒状体用孔５に対して左右対称に設けられている場合には限定されず、左側に大きい装飾体用孔７が１つあって右側に小さい装飾体用孔７が２つある場合であってもよい。何れにしても、棒状体用孔５がフォルダ部２の中央に設けられていて、棒状体用孔５の左右両側に装飾体用孔５が設けられていることが好ましい。これにより、左右両側の装飾体用孔７にバランスよく装飾体１１を差し込むことにより、全体の重量の左右バランスをとり左右方向に安定させることができ、さらに、より多くの装飾体１１を取り付けることができる。
【００３６】
また、上記実施形態では、リボン１０を取り付けるための突起８の先端部８ａが半球の形状で付け根部８ｂが円柱の形状である場合について説明したが、突起８の形状は、先端部８ａが半球の形状で付け根部８ｂが円柱の形状である場合に限定されず、突起８が円錐であって、突起８の先端が円錐の底辺となっていて、円錐の頂点がフォルダ部２に埋まっている形状であってもよい。何れにしても、先端部８ａの断面が付け根部８ｂの断面よりも広い形状であることが好ましい。これにより、突起８をリボンの取付孔１０ａに通した際に、リボン１０の移動が拘束され、リボン１０をフォルダ部２に確実に取り付けることができる。尚、図７のように、フォルダ部２には、突起８がなくて、下方向に広がったＶ字状スリット１４が設けられている場合であってもよい。この場合、リボン１０の上部をＶ字状スリット１４に差し込むことによりリボン１０をフォルダ部２に取り付けることができる。
【図面の簡単な説明】
【００３７】
【図１】本発明の一実施形態に係る装飾体止め具を示す斜視図。
【図２】同装飾体止め具の側面図。
【図３】同装飾体止め具の上面図。
【図４】本発明の一実施形態に係る装飾体止め具であって、装飾体と棒状体とリボンとを取り付けた状態を示す斜視図。
【図５】本発明の一実施形態に係る装飾体止め具のフォルダ部において、（イ）は装飾体を装飾体用孔に差し込んだ状態を示す断面図であり、（ロ）は装飾体の下部と棒状体とを棒状体用孔に差し込んだ状態を示す断面図。
【図６】本発明の一実施形態に係る装飾体止め具であって、（イ）は装飾体と棒状体とリボンとを取り付けて衣服に止めた状態を示す正面図であり、（ロ）はその装飾体止め具付近を示す拡大正面図。
【図７】本発明の他の実施形態における装飾体止め具であって、フォルダ部にＶ字状スリットが設けられた場合を示す側面図。
【符号の説明】
【００３８】
１…クリップ部、１ａ…クリップ部の下部、２…フォルダ部、２ａ…フォルダ部の上部、２ｂ…フォルダ部の上面、２ｃ…フォルダ部の下面、３…支持部、３ａ…支持部の上部、３ｂ…支持部の孔、３ｃ…支持部の下部、４…押さえ部、４ａ…押さえ部の基端部、４ｂ…押さえ部の曲げ部、４ｃ…押さえ部の先端、４ｄ…押さえ部の湾曲部、５ａ…短軸、５ｂ…長軸、６…スリット、７…装飾体用孔、８…突起、８ａ…突起の先端部、８ｂ…突起の付け根部、９…棒状体、１０…リボン、１０ａ…取付孔、１１…装飾体、１１ａ…装飾体の上部、１１ｂ…装飾体の下部、１１ｃ…折り曲げ点、１２…衣服、１３…ポケット、１３ａ…ポケットの上縁、１４…Ｖ字状スリット
【図１】
2006068355.tif 000003
【図２】
2006068355.tif 000004
【図３】
2006068355.tif 000005
【図４】
2006068355.tif 000006
【図５】
2006068355.tif 000007
【図６】
2006068355.tif 000008
【図７】
2006068355.tif 000009